(57)【要約】【課題】高齢者や体が不自由な人の介護や、健常者の長距離運転の際に好適に使用できるクッションを提供する。【解決手段】筒状に形成された弾性体からなる充填体と、伸縮性を有し前記充填体を充填する袋体と、ハニカム状に構成され弾性を有するシートの少なくとも１端側を折り返して縫製し前記袋体を着脱可能とするクッション本体と、該クッション本体を収納する外装体とから構成される。この袋体、クッション本体、外装体はいずれも、通気性に優れた繊維にて成形される。【選択図】      図１
2013102904.tif 000002
【特許請求の範囲】
【請求項１】
筒状に形成された弾性体からなる充填体と、伸縮性を有し前記充填体を充填する袋体と、ハニカム状に構成され弾性を有するシートの少なくとも１端側を折り返して縫製し前記袋体を着脱可能とするクッション本体と、該クッション本体を収納する外装体とから構成されることを特徴とするクッション。
【請求項２】
前記充填体は、円筒状に成形された熱可塑性樹脂で成形された弾性体であることを特徴とする請求項１記載のクッション。
【請求項３】
前記袋体、クッション本体、外装体はいずれも、通気性に優れた繊維にて成形されたことを特徴とする請求項１又は２に記載のクッション。
【発明の詳細な説明】
【技術分野】
【０００１】
本発明は、クッションに関し、とくに高齢者や体の不自由な人が車椅子使用時のズレ防止や、健常者の車運転時の姿勢安定用に好適に使用されるクッションに関するものである。
【背景技術】
【０００２】
近年、高齢化により介護の重要性が益々増加している。高齢者や体の不自由な人は、車椅子に長時間座った状態であるため床ズレが生じたり、体の位置を一定に保持するための固定治具などを使用するため利用者に苦痛を与えることがある。また、タクシーや長距離運転のドライバーはシートベルトによって座席と体を固定されるものの、微妙に位置ズレが生じることによって腰痛などの原因となることがある。
【０００３】
これを改善するために、利用者の体圧を分散させるマットが多数提案されている。例えば、マット材として油性のゲル状物質を利用するものや、低反発性ウレタンフォームを使用するもの、ポリスチレン樹脂などの発泡ビーズを使用したものがある。
【０００４】
しかしながら、上記従来のマットは、圧迫感や苦痛の緩和にはある程度効果があるものの、例えば油性のゲル状物質を利用したものは重量が重く、介護者の負担となるものであった。また低反発性ウレタンフォームを使用するマットでは、接触する体からの圧力を吸収して変形し、利用者の負担を軽減するものであるが、車椅子などに座って一定の位置に保持する目的には適さないものであった。さらにこれらのマットを繰り返し使用するために通常洗濯などを行なうが、マットのカバーは洗濯可能であるが、マット材本体である油性のゲル状物質などは洗濯に適さないものであった。
【０００５】
そこで、マットを構成するセル内に移動しにくい第一フォーム片と移動し易い第二フォーム球の混合体を充填して床擦れ防止に適するマットが提案されている（特許文献１参照。）。また、表地と裏地との間に充填材が充填され、少なくとも表地側に突出する少なくとも２つの肉厚部と、前記肉厚部よりも肉薄の形成され、隣接する前記肉厚部間に所定の間隔を形成するように各肉厚部間に肉薄部とを備えたクッションもある（特許文献２参照。）。
【０００６】
【特許文献１】特開平１１−３３２６９７号公報
【特許文献２】実用新案登録第３１６１１１７号公報
【発明の開示】
【発明が解決しようとする課題】
【０００７】
しかしながら、上記特許文献１の技術は、マットを構成するセル内に移動しにくい第一フォーム片と移動し易い第二フォーム球の混合体を充填して、第一フォーム片で利用者の体を支え、第二フォーム球で体圧を分散させるものであり、製造に手間が掛かり、非常に高価であるという難点があった。また、上記特許文献２の技術は、表地と裏地との間に充填材が充填され、少なくとも表地側に突出する少なくとも２つの肉厚部と、前記肉厚部よりも肉薄に形成され、隣接する前記肉厚部間に所定の間隔を形成するように各肉厚部間に肉薄部とを備え、クッション上に利用者が乗った際に十分な通気性と体圧分散性をもたせることができるものであるが、表地および裏地の通気性にのみ特徴があるばかりであり、弾力性に関する記載などがないものであった。さらに、繰り返し利用する際の洗濯性に関しては何らの記載もないものであった。
【０００８】
そこで上記の問題点に鑑み本発明者は、車椅子に長時間座ったままの高齢者や、通常の車に長時間乗るドライバーなどが安定した位置で座ることが可能であり、利用者が苦痛を覚えることがないクッションを提供するにいたった。
【課題を解決するための手段】
【０００９】
このため本発明のクッションは、筒状に形成された弾性体からなる充填体と、伸縮性を有し前記充填体を充填する袋体と、ハニカム状に構成され弾性を有するシートの少なくとも１端側を折り返して縫製し前記袋体を着脱可能とするクッション本体と、該クッション本体を収納する外装体とから構成されることを第一の特徴とする。
【００１０】
また、前記充填体は、円筒状に成形された熱可塑性樹脂で成形された弾性体であることを第二の特徴とし、前記袋体、クッション本体、外装体はいずれも、通気性に優れた繊維にて成形されたことを第三の特徴する。
【発明の効果】
【００１１】
本発明に係るクッションによれば、筒状に形成された弾性体からなる充填体と、伸縮性を有し前記充填体を充填する袋体と、ハニカム状に構成され弾性を有するシートの少なくとも１端側を折り返して縫製し前記袋体を着脱可能とするクッション本体と、該クッション本体を収納する外装体とから構成されており、油性のゲル状物質などと同様の弾性を有し、弾性を有するシートで形成されたクッション本体によって安定した姿勢が維持できるという優れた効果がある。
【００１２】
また、前記充填体は、シリコーン樹脂で成形された弾性体であり、三次元方向に伸縮するため、体圧分散性に優れるという効果を有する。
【００１３】
しかも、袋体、クッション本体、外装体はいずれも、通気性に優れた繊維にて成形されているため、洗濯性に優れ衛生的であり安心して使用することができるという優れた効果を有する。
【図面の簡単な説明】
【００１４】
【図１】本発明に係るクッションの一実施例を示す斜視図である。
【図２】本発明のクッションのクッション本体を示す斜視説明図である。
【図３】袋体を示す斜視図である。
【図４】充填材を示す説明図である。
【発明を実施するための最良の形態】
【００１５】
以下、本発明を実施例を示す図面を参照しながら説明するが、本発明が本実施例に限定されないことは言うまでもない。図１は本発明のクッションの一実施例を示す斜視図、図２はクッション本体を示す説明図、図３は袋体を示す斜視図、図４は充填材を示す説明図である。尚、本実施例においては車椅子などの背に使用できるクッションを例として説明する。
【実施例】
【００１６】
図１乃至図４に示すように、本発明に係るクッション１は、充填材５を充填した伸縮性に優れる合成繊維で編んだ袋体３と、この袋体３を挿入して保持するハニカム状に３次元に編まれた基材で構成されたクッション本体２と、このクッション本体２を挿入する外層体４と、から構成されている。
【００１７】
充填材５は、円筒状に成形されたゴム弾性を有する熱可塑性樹脂からなり、円筒形の長手方向、径方向、或いは対角線方向に対して優れた弾性を有する。本実施例においては直径５ｍｍ、長さ６ｍｍのものとした。
【００１８】
袋体３はニット構造の繊維が使用されており、上記の充填材５を充填し利用者の体重によって変形し、充填材５の流動と、弾性変形が可能となる。尚、袋体３の素材は通気性を有すると共に、洗濯性に優れる綿やポリウレタンなどの化学繊維が使用されている。
【００１９】
クッション本体２は、ポリエステル繊維を３次元編物からなる基布を複数重ねて縫製し、ハンカム状とされており、厚みが８〜１０ｍｍに形成されている。このクッション本体２の両端から上記袋体３を挿入保持可能な間隔で折り曲げて、糸材６によってそれぞれ縫製して側面視メガネ状の開口部７、７が形成され、袋体保持部８、８が形成されている。尚、上記基布には予め銀系の抗菌剤を練り込んであり、さらに基布の表面には洗濯耐性を有し各種の臭気、ホルムアルデヒドなどを吸着する吸着材がコーティングされている。
【００２０】
外装体４は、一面には上述したクッション本体２の基布と同じ構成でクッション本体２の厚より薄く形成されており、他面は水や汗を防ぐ防水布が使用されており、ファスナー９の開閉によってクッション本体２を挿入して保持する袋体に形成されている。
【００２１】
上記の構成からなる、本発明のクッション１は、充填材５を所定量充填した２個の袋体３を、クション本体２の開口部７からそれぞれ挿入し、袋体保持部８、８において保持し、このクッション本体２をファスナー９を開放した外装体４に挿入し、ファスナー９を閉じることによって形成される。尚、本実施例においては、袋体保持部８を２箇所形成したもので説明しているが、３箇所以上設けたものであってもよい。
【００２２】
本発明のクッションを使用して車椅子又は、自動車の運転席の座席において使用する際には、上記クッション１の袋体保持部８、８が縦方向となる位置に座席中央に配置する。利用者が、このクッション１に体を当て体重を掛けると、袋体保持部８の中に挿入した袋体３中の充填材５が変形し、また袋体３の変形によって上下、左右に移動しようとするが、クッション本体２の３次元編物からなる基布で形成された袋体保持部８によって、袋体３の移動が制限され過度の変形が抑制される。すなわち、充填材４による油性のゲル状物質などと同様の弾性を持った状態で、利用者の背中に対して適度なクッションを与えながら、袋体保持部８による背中に対して垂直方向に対する矯正（位置ズレ防止）がなされる。さらに、外装体４もクッション本体２と同様に３次元編物からなる基布で形成されており、利用者が接する表面に垂直方向には適度の弾力を有すると共に、クッション本体２内部の変形や左右方向への移動を矯正する。
【００２３】
本発明のクッションは以上の構成であるため、各素材はいづれも軽量で洗濯性に優れているため汗や汚れが付着しても、簡単に取除くことが可能であり、常に清潔な状態を維持することができる。尚、本実施例においては車椅子などの座席の背中の位置で使用するクッションを例として説明したが、車椅子などの座る位置に使用するクッションであってもよく、この場合には利用者のズレ落ちを防止できるものである。
【００２４】
以上、本発明によるクッションによれば、筒状に形成された弾性体からなる充填体と、伸縮性を有し前記充填体を充填する袋体と、ハニカム状に構成され弾性を有するシートの少なくとも１端側を折り返して縫製し前記袋体を着脱可能とするクッション本体と、該クッション本体を収納する外装体とから構成されており、油性のゲル状物質などと同様の弾性を有すると共に、安定した姿勢が維持できる。
【符号の説明】
【００２５】
１          クッション
２          クッション本体
３          袋体
４          外装体
５          充填材
６          糸材
７          開口部
８          袋体保持部
９          ファスナー
【図１】
2013102904.tif 000003
【図２】
2013102904.tif 000004
【図３】
2013102904.tif 000005
【図４】
2013102904.tif 000006